(57)【要約】      （修正有）【課題】動きのある表示面が人目に付き易く、取扱が簡単で、コスト的にも有利で、機構も簡単なスイングポップを提供する。【解決手段】垂直軸線を中心として左右に揺動するようにハウジング１０内に装着したレバー支持部材（４０，４１）に、表裏両面に揺動広告を表示した表示板（３０）を取り付けたレバー（３３）を回動自在に支承し、レバー支持部材（４０，４１）を左右に揺動させることによりレバー（３３）を介して表示板（３０）を交互に反転させて、表示板（３０）の表裏面を交互に表示するようにした。表示板（３０）を、反転位置で表裏面を交互に表示するようにしたので、人目に付き易い広告手段とすることができ、広告宣伝効果を向上させることができる。【選択図】図２
0003109521.tif 000002
【実用新案登録請求の範囲】
【請求項１】
垂直軸線を中心として左右に揺動するようにハウジング内に装着したレバー支持部材に、表裏面に広告を表示した表示板を取り付けたレバーを回動自在に支承し、前記レバー支持部材を左右に揺動させることにより前記レバーを介して前記表示板を交互に反転させて、前記表示板の表裏面を交互に表示するようにしたことを特徴とするスイングポップ。
【請求項２】
前記レバー支持部材と前記表示板との間に停止機構を設けて、前記表示板の反転位置で前記表示板を停止させて前記表示板の表裏面を交互に表示するようにしたことを特徴とする請求項１に記載のスイングポップ。
【請求項３】
前記停止機構は、前記表示板に設けた停止部と、前記レバー支持部材に設けた停止部とからなることを特徴とする請求項２に記載のスイングポップ。
【請求項４】
前記停止機構は、前記レバー支持部材と当接して前記表示板を停止させるための停止部を前記表示板に設けたことを特徴とする請求項２に記載のスイングポップ。
【請求項５】
前記レバーは、その軸心を垂直軸線より後傾させて前記レバー支持部材に支承させたことを特徴とする請求項３に記載のスイングポップ。
【請求項６】
前記レバーは、その軸心を垂直軸線より後傾させて前記レバー支持部材に支承させたことを特徴とする請求項４に記載のスイングポップ。
【請求項７】
前記レバーは、前記表示板の重心位置から外れた位置に取り付けたことを特徴とする請求項５に記載のスイングポップ。
【請求項８】
前記レバーは、前記表示板の重心位置から外れた位置に取り付けたことを特徴とする請求項６に記載のスイングポップ。
【請求項９】
前記レバー支持部材と前記レバーとの間に、レバー抜止め部材を取り付けたことを特徴とする請求項１〜８のいずれかに記載のスイングポップ。
【請求項１０】
垂直軸線を中心として左右に揺動するようにハウジング内に装着したレバーに、表裏面に広告を表示した表示板を回動自在に支承し、前記レバーを左右に揺動させることにより前記表示板を交互に反転させて、前記表示板の表裏面を交互に表示するようにしたことを特徴とするスイングポップ。
【請求項１１】
前記レバーと前記表示板との間に停止機構を設けて、前記表示板の反転位置で前記表示板を停止させて前記表示板の表裏面を交互に表示するようにしたことを特徴とする請求項１０に記載のスイングポップ。
【請求項１２】
前記停止機構は、前記表示板に設けた停止部と、前記レバーに設けた停止部とからなることを特徴とする請求項１１に記載のスイングポップ。
【請求項１３】
前記停止機構は、前記レバーと当接して前記表示板を停止させるための停止部を前記表示板に設けたことを特徴とする請求項１１に記載のスイングポップ。
【請求項１４】
前記レバーは、その軸心を垂直軸線より後傾させて設けられていることを特徴とする請求項１２に記載のスイングポップ。
【請求項１５】
前記レバーは、その軸心を垂直軸線より後傾させて設けられていることを特徴とする請求項１３に記載のスイングポップ。
【請求項１６】
前記レバーは、前記表示板の重心位置から外れた位置で前記表示板を支承することを特徴とする請求項１４に記載のスイングポップ。
【請求項１７】
前記レバーは、前記表示板の重心位置から外れた位置で前記表示板を支承することを特徴とする請求項１５に記載のスイングポップ。
【請求項１８】
前記レバーと前記表示板との間に、レバー抜止め部材を取り付けたことを特徴とする請求項１０〜１７のいずれかに記載のスイングポップ。
【請求項１９】
前記広告は、前記表示板および前記ハウジングの広告表示部の少なくとも一方の表面に貼着自在に表示されることを特徴とする請求項１〜１８のいずれかに記載のスイングポップ。
【請求項２０】
前記ハウジングの広告表示部を除くいずれかの表面に、前記ハウジングを、被設置部に取り付ける取付部材を設けたことを特徴とする請求項１〜１９のいずれかに記載のスイングポップ。
【請求項２１】
前記取付部材は、フック、吸盤、磁石または両面接着テープであることを特徴とする請求項２０に記載のスイングポップ。
【考案の詳細な説明】
【技術分野】
【０００１】
本考案は、広告や装飾用として店頭等に設置するスイングポップに関し、特に、揺動自在の広告表示面を備えた電動式のスイングポップに関する。
【背景技術】
【０００２】
従来から、新商品などを販売する場合、消費者の関心を惹いて購買意欲を促進させるために、新商品を効果的に宣伝する方法として、各種広告手段を利用することが行なわれている。そして、従来の広告手段として、店内の壁や商品ケース等に広告を取り付けたり、或は、天井から広告を吊り下げたりする広告手段が利用されていた。
しかしながら、従来の広告手段は、紙面や表示板に写真や図形、文字等を表示して特定の商品をアピールするもので平面的に構成されており、広告効果としても単純なものであった。また、従来の別な広告手段として、立体的な表示面を構成して、宣伝効果を向上させる広告手段が存在するが、広告効果としては依然として単純なものであった。
【０００３】
そこで、広告宣伝効果をさらに向上させるために、別な広告手段として、特許文献１には、広告などを表裏に表示している表示板の重心から外れた位置に固着した軸を左右に揺動する支持台に回転自在に取り付けて、支持台が左右に揺動する毎に表示板が軸を中心に半回転して表裏が交互に入れ替わるようにした広告表示装置が開示されている。
また、特許文献２には、垂直軸線を中心として左右に揺動する揺動レバーの先端部に、その揺動面と同一平面にあるように表示板を取付け、その表示板上に、揺動レバーの長手方向中心線に沿った軸線を回動軸として１８０度回動した際、表示板の各左右表面を交互に覆い、その表示されるディスプレイが変化するように描かれた回動表示覆板を設け、揺動レバーの左右揺動に伴なって回動表示覆板が、揺動レバーの揺動反転時の覆板の回動慣性と自重により、自動的に反転するようにした揺動ディスプレイ装置が開示されている。
【特許文献１】実開昭５８−２１１７９号公報
【特許文献２】実公平４−１２５４５号公報
【考案の開示】
【考案が解決しようとする課題】
【０００４】
上述したように、従来の平面的な広告手段は、広告表示面が単純で画一的であるため、広告宣伝効果が乏しいものであった。また、従来の立体的な広告手段は、平面的な広告手段に比べて広告宣伝効果が若干向上されるが、広告表示部が固定的で動きがないため、依然として広告宣伝効果が乏しいものであった。
【０００５】
また、特許文献１の広告表示装置や特許文献２の揺動ディスプレイ装置は、スイングポップとして構成された表示板の広告面が変化するため、人目を惹き易く、宣伝効果も向上されるが、表示板が常に動いて停止することがないため、広告面を注意して見ないと、広告の内容を正確に把握できないことがあり、広告宣伝効果を発揮させるためには、更に視認性を向上させるような工夫が求められていた。
【０００６】
本考案は、上述したような従来の広告手段に鑑みてなされたものであり、動きのある表示面を認識し易く、店頭等に設置する場合でもその取扱が簡単で、コスト的にも有利であり、機構も簡単なスイングポップを提供するを目的とする。
【課題を解決するための手段】
【０００７】
上記課題を達成するために、請求項１に記載のスイングポップに係る考案は、垂直軸線を中心として左右に揺動するようにハウジング（１０）内に装着したレバー支持部材（４０，４１）に、表裏面に広告（３８）を表示した表示板（３０）を取り付けたレバー（３３）を回動自在に支承し、レバー支持部材（４０，４１）を左右に揺動させることによりレバー（３３）を介して表示板（３０）を交互に反転させて、表示板（３０）の表裏面を交互に表示するようにしたことを特徴とする。
【０００８】
また、上記課題を達成するために、請求項２に記載のスイングポップに係る考案は、請求項１に記載の考案において、レバー支持部材（４０，４１）と表示板（３０）との間に停止機構（３２，４２）を設けて、表示板（３０）の反転位置で表示板（３０）を停止させて表示板（３０）の表裏面を交互に表示するようにしたことを特徴とする。
【０００９】
さらに、上記課題を達成するために、請求項３に記載のスイングポップに係る考案は、請求項２に記載の考案において、停止機構は、表示板（３０）に設けた停止部（３２）と、レバー支持部材（４０，４１）に設けた停止部（４２）とからなることを特徴とする。
【００１０】
さらにまた、上記課題を達成するために、請求項４に記載のスイングポップに係る考案は、請求項２に記載の考案において、停止機構は、レバー支持部材（４０，４１）と当接して表示板（３０）を停止させるための停止部（３２）を表示板（３０）に設けたことを特徴とする。
【００１１】
さらにまた、上記課題を達成するために、請求項５に記載のスイングポップに係る考案は、請求項３に記載の考案において、また、請求項６に記載のスイングポップに係る考案は、請求項４に記載の考案において、レバー（３３）は、その軸心を垂直軸線より後傾させてレバー支持部材（４０，４１）に支承させたことを特徴とする。
【００１２】
さらにまた、上記課題を達成するために、請求項７に記載のスイングポップに係る考案は、請求項５に記載の考案において、また、請求項８に記載のスイングポップに係る考案は、請求項６に記載の考案において、レバー（３３）は、表示板（３０）の重心位置から外れた位置に取り付けたことを特徴とする。
【００１３】
さらにまた、上記課題を達成するために、請求項９に記載のスイングポップに係る考案は、請求項１〜８のいずれかに記載の考案において、レバー支持部材（４０，４１）とレバー（３３）との間にレバー抜止め部材（３４）を取り付けたことを特徴とする。
【００１４】
上記課題を達成するために、請求項１０に記載のスイングポップに係る考案は、垂直軸線を中心として左右に揺動するようにハウジング（１０）内に装着したレバー（３３）に、表裏面に広告を表示した表示板（３０）を回動自在に支承し、レバー（３３）を左右に揺動させることにより表示板（３０）を交互に反転させて、表示板（３０）の表裏面を交互に表示するようにしたことを特徴とする。
【００１５】
また、上記課題を達成するために、請求項１１に記載のスイングポップに係る考案は、請求項１０に記載の考案において、レバー（３３）と表示板（３０）との間に停止機構（３２，４２）を設けて、表示板（３０）の反転位置で表示板（３０）を停止させて表示板（３０）の表裏面を交互に表示するようにしたことを特徴とする。
【００１６】
さらに、上記課題を達成するために、請求項１２に記載のスイングポップに係る考案は、請求項１１に記載の考案において、停止機構は、表示板（３０）に設けた停止部（３２）と、レバー（３３）に設けた停止部（４２）とからなることを特徴とする。
【００１７】
さらにまた、上記課題を達成するために、請求項１３に記載のスイングポップに係る考案は、請求項１１に記載の考案において、停止機構は、レバー（３３）と当接して表示板（３０）を停止させるための停止部を表示板（３０）に設けたことを特徴とする。
【００１８】
さらにまた、上記課題を達成するために、請求項１４に記載のスイングポップに係る考案は、請求項１２に記載の考案において、また、請求項１５に記載のスイングポップに係る考案は、請求項１３に記載の考案において、レバー（３３）は、その軸心を垂直軸線より後傾させて設けられていることを特徴とする。
【００１９】
さらにまた、上記課題を達成するために、請求項１６に記載のスイングポップに係る考案は、請求項１４に記載の考案において、また、請求項１７に記載のスイングポップに係る考案は、請求項１５に記載の考案において、レバー（３３）は、表示板（３０）の重心位置から外れた位置で表示板（３０）を支承することを特徴とする。
【００２０】
さらにまた、上記課題を達成するために、請求項１８に記載のスイングポップに係る考案は、請求項１０〜１７のいずれかに記載の考案において、レバーと表示板との間に、レバー抜止め部材を取り付けたことを特徴とする。
【００２１】
さらにまた、上記課題を達成するために、請求項１９に記載のスイングポップに係る考案は、請求項１〜１８のいずれかに記載の考案において、広告（３７，３８）は、表示板（３０）およびハウジング（１０）の広告表示部（１１）の少なくとも一方の表面に貼着自在に表示されることを特徴とする。
【００２２】
さらにまた、上記課題を達成するために、請求項２０に記載のスイングポップに係る考案は、請求項１〜１９のいずれかに記載の考案において、ハウジング（１０）の広告表示部（１１）を除くいずれかの表面に、ハウジング（１０）を被設置部に取り付ける取付部材を設けたことを特徴とする。
【００２３】
さらにまた、上記課題を達成するために、請求項２１に記載のスイングポップに係る考案は、請求項２０に記載の考案において、取付部材は、フック（６０）、吸盤、磁石または両面接着テープであることを特徴とする。
【考案の効果】
【００２４】
請求項１および１０に記載のスイングポップに係る考案によれば、表示板を左右方向に揺動させると共に表示板の表裏面を交互に反転させるようにしたので、人目に付き易い広告手段とすることができ、広告宣伝効果を向上させることができる。
【００２５】
また、請求項２に係る考案によれば、請求項１の効果に加えて、レバー支持部材と表示板との間に停止機構を設け、表示板を、表示板の反転位置で確実に停止させて表示板の表裏面を交互に表示するようにしたので、表示板が常に動いているにもかかわらず表示面が瞬間的に停止するため、広告内容の確認が容易となり、広告内容の視認性を向上させることができる。
【００２６】
さらに、請求項３に記載のスイングポップに係る考案によれば、請求項２の効果に加えて、停止機構を、表示板に設けた停止部とレバー支持部材に設けた停止部とで構成したので、表示板を反転位置で確実に停止させることができる停止機構を簡単に構成することができる。
【００２７】
さらに、請求項４に記載のスイングポップに係る考案によれば、請求項２の効果に加えて、停止機構を、表示板に設けた停止部とレバー支持部材との当接によるものとしたので、表示板を反転位置で確実に停止させることができる停止機構を簡単に構成することができる。
【００２８】
さらにまた、請求項５に記載のスイングポップに係る考案によれば、請求項３の効果に加えて、また、請求項６に記載のスイングポップに係る考案によれば、請求項４の効果に加えて、レバーの軸心を垂直軸線よりも後傾させたので、レバー、すなわち、表示面を一定の回転面に沿って回転させることができる。
【００２９】
さらにまた、請求項７に記載のスイングポップに係る考案によれば、請求項５の効果に加えて、また、請求項８に記載のスイングポップに係る考案によれば、請求項６の効果に加えて、レバーは、表示板の重心位置から外れた位置に取り付けたので、左右の反転位置で容易に表裏反転することができる。
【００３０】
さらにまた、請求項９に記載のスイングポップに係る考案によれば、請求項１〜８の効果に加えて、レバー支持部材とレバーとの間にレバー抜止め部材を取り付けたので、ハウジングが不用意に傾けられたり、誤って逆さにされた場合でも、レバーがレバー支持部材から抜けることを確実に阻止することができる。
【００３１】
また、請求項１１に係る考案によれば、請求項１０の効果に加えて、レバーと表示板との間に停止機構を設けたので、表示板を反転位置で確実に停止させて、広告内容の視認性を向上させることができる。
【００３２】
さらに、請求項１２に記載のスイングポップに係る考案によれば、請求項１１の効果に加えて、停止機構を、表示板に設けた停止部とレバーに設けた停止部とで構成したので、表示板を反転位置で確実に停止させることができる停止機構を簡単に構成することができる。
【００３３】
さらに、請求項１３に記載のスイングポップに係る考案によれば、請求項１１の効果に加えて、停止機構を、表示板に設けた停止部とレバーとの当接によるものとしたので、表示板を反転位置で確実に停止させることができる停止機構を簡単に構成することができる。
【００３４】
さらにまた、請求項１４に記載のスイングポップに係る考案によれば、請求項１２の効果に加えて、また、請求項１５に記載のスイングポップに係る考案によれば、請求項１３の効果に加えて、レバーの軸心を垂直軸線よりも後傾させたので、レバー、すなわち、表示面を一定の回転面に沿って回転させることができる。
【００３５】
さらにまた、請求項１６に記載のスイングポップに係る考案によれば、請求項１４の効果に加えて、また、請求項１７に記載のスイングポップに係る考案によれば、請求項１５の効果に加えて、レバーは、表示板の重心位置から外れた位置で表示板を支承することとしたので、左右の反転位置で容易に表裏反転することができる。
【００３６】
さらにまた、請求項１８に記載のスイングポップに係る考案によれば、請求項１０〜１７の効果に加えて、レバーと表示板との間にレバー抜止め部材を取り付けたので、ハウジングが不用意に傾けられたり、誤って逆さにされた場合でも、表示板がレバーから抜けることを確実に阻止することができる。
【００３７】
さらにまた、請求項１９に記載のスイングポップに係る考案によれば、請求項１〜１８の効果に加えて、広告を、表示板および広告表示部に貼着自在に表示させたので、広告内容の変更が容易となる。
【００３８】
さらにまた、請求項２０に記載のスイングポップに係る考案によれば、請求項１〜１９の効果に加えて、広告手段であるスイングポップを、店頭などの適宜の位置に簡単に取り付けることができる。
【００３９】
さらにまた、請求項２１に記載のスイングポップに係る考案によれば、請求項２０の効果に加えて、スイングポップの設置場所に合わせて、適宜の取付部材を選択することができる。
【考案を実施するための最良の形態】
【００４０】
以下、本考案の好適な実施の形態を、電動式のスイングポップを例として説明する。
まず、本考案の第１の実施の形態に係る電動式のスイングポップを、図１〜図６に基づいて説明する。
図５および図６に示すように、第１の実施の形態に係るスイングポップは、ハウジング１０（図１参照）の前面に形成した広告表示部１１に、例えば、「つらい肩コリに」などの文字を表示した静止広告３７（平面的な広告）を表示し、また、ハウジング１０に対して揺動するように設けた表示板３０に、広告製品を使用する人間と「肩こりを治す」などの文字を表示した揺動広告３８（左右方向にスイングする広告）を表示するものである。
そして、揺動広告３８は、例えば、図５に示すように、右端に位置した際に表示板３０の表面を表示すると共に、図６に示すように、左端に位置した際に表示板３０の裏面を表示するように構成されている。また、広告表示部１１および表示板３０に表示する広告は、両方の表面に表示してもよいが、少なくとも、表示板３０の表面に表示する。また、広告表示部１１に表示する静止広告３７および表示板３０に表示する揺動広告３８は、広告表示部１１および表示板３０に直接表示してもよいが、広告表示部１１および表示板３０の表面に、別体に形成した静止広告３７および揺動広告３８を貼着させて表示してもよい。その場合には、ハウジング１０を共用して広告内容を適宜変更することができる。
また、第１の実施の形態に係るスイングポップは、好ましくは、後述するように、表示板３０が左右両端に位置した際に、表示板３０に設けた停止部（停止板３２）がレバー支持板４１に設けた停止部（停止ピン４２）に当接して、表示板３０を瞬間的に停止させて、揺動広告３８の内容を容易に確認できるように構成している。本考案における停止部とは、表示板３０又はレバー支持板４１に板状又はピン状の突起状部材を取り付けて形成するか、あるいは、表示板３０又はレバー支持板４１それ自体を前記板状又はピン状の突起を有する形状に加工して設けることができる。以下、第１の実施の形態に係る電動式のスイングポップを詳細に説明する。
【００４１】
図１に示すように、第１の実施の形態に係る電動式のスイングポップは、主として、箱状に形成されたハウジング１０と、このハウジング１０の上面に形成された開口部１９から上方に突出するように配設された表示板３０と、から構成されている。ここで、開口部１９は、ハウジング１０の前面を構成する広告表示部１１に隣接するハウジング上面１３を切欠いて形成されている。また、ハウジング上面１３には、操作スイッチ２３が設けられており、この操作スイッチ２３を操作することにより、後述するモータ２２を駆動させて、表示板３０を左右に揺動させると共に、表示板３０を交互に反転させることができるように構成されている。
【００４２】
ここで、図１および図２に示すように、ハウジング１０の前面を構成する広告表示部１１の上端部１２は、所定の曲率、すなわち、レバー支持部材（レバー支持杆４０およびレバー支持板４１）の揺動半径と略同じ曲率に形成されており、レバー支持部材が揺動動作した際に、レバー支持板４１が広告表示部１１の上端部１２から見える程度の曲率に形成されている。
【００４３】
また、図３に示すように、ハウジング背面１６には、フック（取付部材）６０が設けられており、スイングポップを店頭などに設置する際に、フック６０を利用して被設置部に着脱自在に取り付けることができるように構成されている。
なお、この実施の形態では、ハウジング背面１６にフック６０からなる取付部材を設けた形態について説明するが、スイングポップのハウジング１０を被設置部に取り付ける場合は、被設置部の素材に応じて他の取付部材、例えば、吸盤、磁石、または、両面接着テープなどを利用して取り付けるようにしてもよい。また、取付部材は、ハウジング背面１６に取り付ける形態に限定する必要はなく、広告表示部１１を除く適宜の表面、例えば、ハウジング側面１４、或は、ハウジング底面１５に設けることができる。
【００４４】
図１〜図３に示すように、表示板３０の下端略中央から下方に向かってレバー３３が取り付けられている。このレバー３３は、揺動広告３８を表示する表示板３０が、左右の反転位置で容易に表裏反転できるように、表示板３０の重心位置から外れた位置に取り付けられ、後述するレバー支持部材に回動自在に支承されている。レバー３３の表示板３０での重心位置を外すため、図１〜図３では、表示版３０は非対称の形状に形成され、錘３１が取り付けられている。また、表示板３０の下端片側に停止板３２が下方に向けて突設されており、この停止板３２は、後述する停止ピン４２と協働して、表示板３０を反転位置で瞬間的に停止させる停止機構（停止板３２および停止ピン４２）として機能する。
なお、第１の実施の形態に係る電動式のスイングポップでは、停止機構は、表示板３０の下端片側に設けた停止板３２とレバー支持板４１上に突設した停止ピン４２とから構成されるが、表示板３０自体の下端片側を下方に突出させた部分を形成し、またはレバー支持板４１自体を断面Ｌ字状に屈曲させて立設部を形成し、これらを停止機構として構成することもできる。また、レバー支持板４１上に特に停止部を設けなくとも、表示板３０の停止部がレバー支持板４１に当接して、表示板３０を反転位置で停止させる停止機構として構成することもできる。
【００４５】
前述したように、レバー支持部材は、レバー支持杆４０と、このレバー支持杆４０の上端に取り付けられたレバー支持板４１とから構成されており、また、レバー支持杆４０は、その下端部が、ハウジング１０内を区画する仕切り部１７に固着された揺動軸４５に垂直軸線を中心として左右方向に揺動可能に軸着されている。なお、レバー支持杆４０とレバー支持板４１は、別部材から構成して、螺子などの固着手段を介して両者を固着して構成することができるが、レバー支持杆４０の上端部に幅広部を一体に形成して、幅広部を折曲させることにより、幅広部をレバー支持板４１として構成することもできる。
【００４６】
また、レバー支持杆４０には、図３に示すように、レバー支持杆４０の略中間位置にレバー端部支承部４４が、さらに、レバー端部支承部４４の上方で、レバー支持板４１とレバー端部支承部４４との間に軸受４３が、それぞれ設けられている。そして、レバー支持板４１と軸受４３には、表示板３０を取り付けたレバー３３を挿入するための貫通孔が、それぞれ形成されている。ここで、レバー支持板４１の貫通孔と軸受４３の貫通孔は、レバー３３の軸心を垂直軸線から後傾させて取り付けるように、垂直軸線に対して前後方向に若干ずらして形成されている。
【００４７】
そして、レバー支持部材（レバー支持杆４０およびレバー支持板４１）にレバー３３を取り付ける際には、レバー支持板４１と軸受４３との間に、例えば、ビニールパイプで形成したレバー抜止め部材３４を配置した状態で、レバー３３の端部を、レバー支持板４１の貫通孔、レバー抜止め部材３４、軸受４３の貫通孔の順に挿通して、最後にレバー端部支承部４４に当接させて、レバー３３をレバー支持部材に取り付ける。その結果、レバー３３は、レバー支持部材に対して、回動自在で、かつ、レバー３３の軸心が垂直軸線に対して後傾された状態で取り付けられる。
【００４８】
前述したように、ハウジング１０内を区画する仕切り部１７に固着された揺動軸４５にレバー支持杆４０の下端部が揺動自在に軸着されているが、図２および図３に示すように、この揺動軸４５には、第２リンク４７の一端部がレバー支持杆４０と同軸上に揺動自在に軸着されている。また、第２リンク４７の他端部は、第１リンク４６の一端部に第２枢着軸４９を介して揺動自在に軸着されている。また、第１リンク４６の他端部は、作動歯車５０の外周縁部近傍に突設した第１枢着軸４８に揺動自在に軸着されている。そして、作動歯車５０は、ハウジング１０内を区画する仕切り部１７に固設された支持軸５１に回動自在に軸着されている。
【００４９】
また、ハウジング１０内には、ハウジング１０内を区画する仕切り部１７とハウジング背面１６との間に空間部が形成されており、この空間部に、モータ２２とこのモータ２２を駆動する乾電池２０が収納されている。また、モータ２２は、図２〜図４に示すように、空間部に配設された状態で、モータ駆動軸２４が仕切り部１７を貫通するように設けられており、モータ駆動軸２４には駆動歯車２５が装着されている。この駆動歯車２５は、作動歯車５０と噛合されており、モータ２２を駆動させることにより、駆動歯車２５、作動歯車５０、第１リンク４６、第２リンク４７、揺動軸４５、レバー支持杆４０、レバー支持板４１およびレバー３３を介して、表示板３０が左右方向に揺動される。
なお、第１の実施の形態では、モータ駆動軸２４に装着された駆動歯車２５を作動歯車５０に直接歯合させているが、駆動歯車２５と作動歯車５０との間に、さらに別の歯車を介在させて、レバー３３を揺動させる速度を適宜変更するように構成することもできる。
【００５０】
本考案の第１の実施の形態に係る電動式のスイングポップは上述したように構成されているので、例えば、スイングポップを、フック６０を介して、店頭などの適宜個所に設置して、操作スイッチ２３を操作すると、乾電池２０の電力によりモータ２２が駆動され、このモータ２２が駆動されると、レバー支持部材（レバー支持杆４０およびレバー支持板４１）およびレバー３３を介して、表示板３０が左右方向に揺動される。
そして、表示板３０が左右方向に揺動され、その反転位置で表示板３０が表裏反転される際に、表示板３０とレバー支持部材との間に、停止機構（停止板３２および停止ピン４２）が設けられているため、表裏反転した表示板３０が、その位置で瞬間的に停止されて、表示板３０に表示された広告内容を容易に確認できることになる。
【００５１】
次に、本考案の第２の実施の形態に係る電動式のスイングポップを、図７〜図１０に基づいて説明する。なお、第２の実施の形態に係る電動式のスイングポップを説明する際には、第１の実施の形態に係る電動式のスイングポップと同じ構成部材および相当する部材は適宜省略して、相違する部分を中心に説明する。
第２の実施の形態に係る電動式のスイングポップは、広告表示部１１および表示板３０に表示される広告は、基本的に図５および図６に示すように構成されており、第１の実施の形態に係るスイングポップとほぼ同様に構成されている。また、図７〜図１０に示すように、第２の実施の形態に係る電動式のスイングポップのハウジング１０も、第１の実施の形態に係るスイングポップとほぼ同様に構成されているが、ハウジング上面１３に後述する自動反転式モータ２７を駆動する駆動電源となる太陽電池２１が設置される点で相違している。なお、この第２の実施の形態では、太陽電池２１は、ハウジング上面１３に設置されているが、広告表示部１１を除くハウジング１０の表面であれば、例えば、ハウジング側面１４に設置することができる。
【００５２】
図８に示すように、第２の実施の形態に係る電動式のスイングポップは、第１の実施の形態と同様に、表示板３０の下端略中央から下方に向かってレバー３３が取り付けられている。このレバー３３は、揺動広告３８を表示する表示板３０が、左右の反転位置で容易に表裏反転できるように、表示板３０の重心位置から外れた位置にレバー支持部材に回動自在に支承されている。レバー３３の表示板３０での重心位置を外すため、図１〜図３では、表示版３０は非対称の形状に形成され、錘３１が取り付けられている。また、表示板３０の下端片側に停止板３２が下方に向かって突設されており、この停止板３２は、後述する停止ピン４２と協働して、表示板３０を反転位置で瞬間的に停止させる停止機構として機能する。なお、レバー支持部材は、レバー支持杆４０とレバー支持板４１とから構成される。
【００５３】
図８および図９に示すように、レバー支持杆４０は、自動反転式モータ２７のモータ駆動軸２４に取り付けられた回動円板２６に固着されている。また、自動反転式モータ２７は、ハウジング１０内のモータ収納部１８に収納されており、自動反転式モータ２７を駆動して回動円板２６を揺動させると、レバー支持杆４０が垂直軸線を中心として左右方向に揺動するように構成されている。
レバー支持杆４０は、その上端にレバー支持板４１が設けられると共に、レバー支持杆４０の下端は、ハウジング底面１５の近傍まで延ばされ、その下端部に錘３５が取り付けられている。さらに、ハウジング１０内には、ハウジング底面１５の両側部にレバー停止部３６が設けられており、レバー支持杆４０が左右方向に揺動されると、レバー支持杆４０の下端がレバー停止部３６に当接して停止するように構成されている。
【００５４】
また、ハウジング１０内には、ハウジング１０内の上半部を区画するモータ収納部１８が、ハウジング上面１３に接するように形成されており、このモータ収納部１８に自動反転式モータ２７が収納されている。そして、図９および図１０に示すように、自動反転式モータ２７は、モータ収納部１８に配設された状態で、モータ駆動軸２４がモータ収納部１８の前面を貫通して、このモータ駆動軸２４に回動円板２６が取り付けられている。上述したように、回動円板２６にはレバー支持杆４０が固着されており、自動反転式モータ２７を駆動させることにより、回動円板２６、レバー支持部材およびレバー３３を介して、表示板３０が左右方向に揺動される。
【００５５】
そして、例えば、図８に示すように、自動反転式モータ２７を駆動することにより回動円板２６を時計方向に回動させると、レバー支持杆４０も時計方向に揺動され、その後、レバー支持杆４０の下端部が左側のレバー停止部３６に接触する。すると、自動反転式モータ２７に所定荷重が作用して、レバー支持杆４０の揺動動作が停止される。次に、自動反転式モータ２７の回転方向が反転され、自動反転式モータ２７により回動円板２６を反時計方向に回動させると、レバー支持杆４０も反時計方向に揺動され、レバー支持杆４０の下端部が右側のレバー停止部３６に接触する。そして、上述したように、自動反転式モータ２７に所定荷重が作用して、レバー支持杆４０の揺動動作が停止されて、自動反転式モータ２７の回転方向が反転される。このように、自動反転式モータ２７の回転方向が自動的に反転されるので、これに伴なって、レバー支持杆４０も左右方向に揺動して、レバー３３と一緒に表示板３０も左右に揺動される。
【００５６】
また、第１の実施の形態と同様に、レバー支持杆４０には、レバー支持杆４０の略中間位置にレバー端部支承部４４が、また、レバー端部支承部４４の上方で、レバー支持板４１とレバー端部支承部４４との間には軸受４３が、それぞれ設けられている。また、レバー支持板４１と軸受４３には、レバー３３を挿入するための貫通孔が、それぞれ形成されている。レバー支持板４１の貫通孔と軸受４３の貫通孔は、レバー３３の軸心を垂直軸線より後傾させてレバー支持部材に取り付けるように、垂直軸線に対して前後方向に若干ずらして形成されている。
そして、レバー支持部材にレバー３３を取り付ける際には、レバー支持板４１と軸受４３との間に、例えば、ビニールパイプで形成したレバー抜止め部材３４を配置した状態で、レバー３３の端部を、レバー支持板４１の貫通孔、レバー抜止め部材３４、軸受４３の貫通孔の順に挿通して、最後にレバー端部支承部４４に当接させて、レバー３３をレバー支持部材に取り付ける。その結果、レバー３３は、レバー支持部材に対して回動自在であり、かつ、レバー３３の軸心が垂直軸線に対して後傾された状態でレバー支持部材に取り付けられる。
【００５７】
本考案の第２の実施の形態に係る電動式のスイングポップは上述したように構成されているので、例えば、スイングポップを、フック６０を介して、店頭などの適宜個所に設置すると、太陽電池２１の電力により自動反転式モータ２７が駆動され、この自動反転式モータ２７が駆動されると、回動円板２６、レバー支持部材（レバー支持杆４０およびレバー支持板４１）およびレバー３３を介して、表示板３０が左右方向に揺動される。そして、表示板３０が左右方向に揺動され、その反転位置で表示板３０が表裏反転される際に、表示板３０とレバー支持部材との間に、停止機構（停止板３２および停止ピン４２）が設けられているため、表裏反転した表示板３０が、その位置で瞬間的に停止されて、表示板３０に表示された広告内容を容易に確認できることになる。
また、特に、第２の実施の形態に係る電動式のスイングポップは、太陽電池２１を利用しているので電源管理が容易となる。
【００５８】
以上、本考案の第１および第２の実施の形態に係る電動式のスイングポップとして、表示板３０を取り付けたレバー３３を、左右方向に揺動するレバー支持部材（レバー支持杆４０とレバー支持板４１）で回動自在に支承する形態について説明したが、本考案の他の実施の形態として、レバー３３自体を左右方向に揺動自在に設けて、このレバー３３に表示板３０を回動自在に支承してスイングポップを構成することもできる。この場合、レバー３３は、垂直軸線より後傾させるようにハウジング１０内の揺動軸４５または回動円板２６に取り付ける。
この他の実施の形態では、図１１及び図１２に示すように、自動反転式モータ２７の回動円板２６に取り付けたレバー３３の先端に、表示板支承部３３Ａと、この表示板支承部３３Ａに対してほぼ直角に突出するように停止部４２が一体に形成されている。また、表示板３０には、そのほぼ中央部に、一対の軸受４３とレバー端部支承部４４を備えた支承部材３９が設けられている。そして、表示板３０をレバー３３に取り付ける際には、一対の軸受４３，４３の間にレバー抜け止め部材３４を配置した状態で、レバー３３の表示板支承部３３Ａの端部を、下方の軸受４３の貫通孔、レバー抜け止め部材３４、上方の軸受４３の貫通孔の順に挿通して、最後にレバー端部支承部４４に当接させて、表示板３０をレバー３３に取り付ける。
この他の実施の形態では、レバー３３自体に、表示板３０と干渉する部位に停止部４２を設けて、レバー３３を揺動させて表示板３０を反転させる際に、レバー３３の停止部４２に表示板３０自体を当接させて表示板３０をその反転位置で停止させて、表示板３０の表裏面を交互に表示させる。
【００５９】
また、さらに他の実施の形態では、図１３及び図１４に示すように、自動反転式モータ２７の回動円板２６に取り付けたレバー３３の先端に、表示板支承部３３Ａと、この表示板支承部３３Ａに対してほぼ直交するように停止部４２が一体に形成されている。また、停止部４２の先端は上方に向けてほぼ直角に曲げられている。
表示板３０には、そのほぼ中央部に、一対の軸受４３とレバー端部支承部４４を備えた支承部材３９が設けられると共に、その下端片側に停止部３２が下方に向かって突設されている。そして、表示板３０をレバー３３に取り付ける際には、一対の軸受４３，４３の間にレバー抜け止め部材３４を配置した状態で、レバー３３の表示板支承部３３Ａの端部を、下方の軸受４３の貫通孔、レバー抜け止め部材３４、上方の軸受４３の貫通孔の順に挿通して、最後にレバー端部支承部４４に当接させて、表示板３０をレバー３３に取り付ける。
この実施の形態では、表示板３０をレバー３３に支承した状態で、レバー３３の停止部４２の上端は、表示板３０より下方で、表示板３０の停止部３２に干渉する位置に配設される。
このさらに他の実施の形態では、表示板３０を停止させる手段として、レバー３３に停止部４２を、表示板３０に停止部３２を、それぞれに設けて、レバー３３を揺動させて表示板３０を反転させる際に、レバー３３の停止部４２に表示板３０の停止部３２を当接させて表示板３０をその反転位置で停止させて、表示板３０の表裏面を交互に表示させる。
【図面の簡単な説明】
【００６０】
【図１】第１の実施の形態に係るスイングポップの斜視図である。
【図２】図１に示すスイングポップの駆動部を透視して示す正面図である。
【図３】図１に示すスイングポップの駆動部を透視して示す側面図である。
【図４】図１に示すスイングポップの駆動部を透視して示す上面図である。
【図５】図１に示すスイングポップの表示面に表示する広告の例を示す図であり、揺動する表示面の表面が表示されている状態を示す正面図である。
【図６】図１に示すスイングポップの表示面に表示する広告の例を示す図であり、揺動する表示面の裏面が表示されている状態を示す正面図である。
【図７】第２の実施の形態に係るスイングポップの斜視図である。
【図８】図７に示すスイングポップの駆動部を透視して示す正面図である。
【図９】図７に示すスイングポップの駆動部を透視して示す側面図である。
【図１０】図７に示すスイングポップの駆動部を透視して示す上面図である。
【図１１】図８に示す第２の実施の形態において、レバーと表示板との取付形態を変更した他の実施の形態を示す正面図である。
【図１２】図１１の側面図である。
【図１３】図８に示す第２の実施の形態において、レバーと表示板との取付形態を変更したさらに他の実施の形態を示す正面図である。
【図１４】図１３の側面図である。
【符号の説明】
【００６１】
１０  ハウジング
１１  広告表示部
１２  上端部
１３  ハウジング上面
１４  ハウジング側面
１５  ハウジング底面
１６  ハウジング背面
１７  仕切り部
１８  モータ収納部
１９  開口部
２０  乾電池
２１  太陽電池
２２  モータ
２３  操作スイッチ
２４  モータ駆動軸
２５  駆動歯車
２６  回動円板
２７  自動反転式モータ
３０  表示板
３１  錘
３２  停止部（停止板）
３３  レバー
３３Ａ  表示板支承部
３４  レバー抜止め部材
３５  錘
３６  レバー停止部
３７  静止広告
３８  揺動広告
３９  支承部材
４０  レバー支持杆
４１  レバー支持板
４２  停止部（停止ピン）
４３  軸受
４４  レバー端部支承部
４５  揺動軸
４６  第１リンク
４７  第２リンク
４８  第１枢着軸
４９  第２枢着軸
５０  作動歯車
５１  支持軸
６０  フック
【図１】
0003109521.tif 000003
【図２】
0003109521.tif 000004
【図３】
0003109521.tif 000005
【図４】
0003109521.tif 000006
【図５】
0003109521.tif 000007
【図６】
0003109521.tif 000008
【図７】
0003109521.tif 000009
【図８】
0003109521.tif 000010
【図９】
0003109521.tif 000011
【図１０】
0003109521.tif 000012
【図１１】
0003109521.tif 000013
【図１２】
0003109521.tif 000014
【図１３】
0003109521.tif 000015
【図１４】
0003109521.tif 000016